【事件の表示】
　特許第３４０２１３７号「ジスアゾ顔料組成物及び印刷インキ」の請求項１ないし１０に係る特許に対する特許異議の申立てについて、次のとおり決定する。
【結　論】
　特許第３４０２１３７号の請求項１ないし１０に係る特許を維持する。
【理　由】
１．手続の経緯
　本件特許第３４０２１３２号の請求項１〜１０に係る発明は、平成９年７月３０日に出願され、平成１５年２月２８日に特許の設定登録がなされ、その後、藤田　肇（以下、「異議申立人」という。）から特許異議の申立てがなされたものである。
　
２．本件発明
　本件の請求項１〜１０に係る発明（以下、「本件発明１」〜「本件発明１０」という）は、その特許請求の範囲の請求項１〜１０に記載された事項により特定される以下のとおりのものである。
「【請求項１】　（１）ジスアゾ顔料、（２）一般式（Ｉ）
（式中、Ｘ及びＹは、各々独立的に、水素原子、ハロゲン原子、炭素原子数１〜４のアルキル基、炭素原子数１〜４のアルコキシル基又は炭素原子数１〜４のアルコキシル基を有するアルコキシカルボニル基を表わすが、Ｘ及びＹは同時に水素原子を表わすことはない。Ｚ1は、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基を表わす。Ｚ2は、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基であって、カルボン酸基及び／又はスルホン酸基を１〜４個有するフェニル基又はナフチル基を表わす。ただし、Ｚ2において、カルボン酸基及び／又はスルホン酸基は、アルカリ土類金属、アルミニウム、マグネシウム及び亜鉛から成る群から選ばれる１種以上の金属の塩であっても良い。）
で表わされるジスアゾ化合物、及び（３）一般式（II）
（式中、Ｘ及びＹは、各々独立的に、水素原子、ハロゲン原子、炭素原子数１〜４のアルキル基、炭素原子数１〜４のアルコキシル基又は炭素原子数１〜４のアルコキシル基を有するアルコキシカルボニル基を表わすが、Ｘ及びＹは同時に水素原子を表わすことはない。Ｚ1は、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基を表わす。Ｚ3は、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基であって、カルボンアミド基、スルホンアミド基及びアセトアミノ基から成る群から選ばれる置換基を１〜４個有するフェニル基もしくはナフチル基、又は、ベンツイミダゾロン環残基もしくはフタルイミド環残基を表わす。）
で表わされるジスアゾ化合物を含有するジスアゾ顔料組成物。
【請求項２】　一般式（Ｉ）中のＸ及びＹが、各々独立的に、水素原子、ハロゲン原子、炭素原子数１〜４のアルキル基、炭素原子数１〜４のアルコキシル基又は炭素原子数１〜４のアルコキシル基を有するアルコキシカルボニル基（ただし、Ｘ及びＹは同時に水素原子であることはない。）、Ｚ1が、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基、Ｚ2が、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基であって、カルボン酸基及び／又はスルホン酸基を１〜４個有するフェニル基又はナフチル基であり、かつ、
一般式（II）中のＸ及びＹが、各々独立的に、水素原子、ハロゲン原子、炭素原子数１〜４のアルキル基、炭素原子数１〜４のアルコキシル基又は炭素原子数１〜４のアルコキシル基を有するアルコキシカルボニル基（ただし、Ｘ及びＹは同時に水素原子であることはない。）、Ｚ1は、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基、Ｚ3は、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基であって、カルボンアミド基、スルホンアミド基及びアセトアミノ基から成る群から選ばれる置換基を１〜４個有するフェニル基又はナフチル基である請求項１記載のジスアゾ顔料組成物。
　　【請求項３】　一般式（Ｉ）及び一般式（II）中のＸ及びＹが、各々独立的に、水素原子又は塩素原子（ただし、Ｘ及びＹは同時に水素原子であることはない。）、Ｚ1が、１〜２個のメチル基又はメトキシ基を有していても良いフェニル基、Ｚ2が、水酸基又は塩素原子を有していても良いフェニル基であって、カルボン酸基又はスルホン酸基（ただし、これらはアルミニウム塩であっても良い。）を有するフェニル基、かつ、Ｚ3が、カルバモイル基、アセトアミノ基又はスルファモイル基を有するフェニル基、又は、ベンツイミダゾロン環残基である請求項１記載のジスアゾ顔料組成物。
　　【請求項４】　一般式（Ｉ）及び一般式（II）中のＸ及びＹが、各々独立的に、水素原子又は塩素原子（ただし、Ｘ及びＹは同時に水素原子であることはない。）、Ｚ1が、１〜２個のメチル基又はメトキシ基を有していても良いフェニル基、Ｚ2が、水酸基を有していても良い、カルボン酸基（ただし、アルミニウム塩であっても良い。）を有するフェニル基、かつ、Ｚ3が、カルバモイル基又はアセトアミノ基を有するフェニル基である請求項１記載のジスアゾ顔料組成物。
　　【請求項５】　ジスアゾ顔料組成物の固形分中の一般式（Ｉ）で表わされるジスアゾ化合物の含有割合が１〜２０重量％の範囲にあり、一般式（II）で表わされるジスアゾ化合物の含有割合が１〜２０重量％の範囲にある請求項１〜４のいずれか１つに記載のジスアゾ顔料組成物。
　　【請求項６】　ジスアゾ顔料組成物の固形分中の一般式（Ｉ）で表わされるジスアゾ化合物と一般式（II）で表わされるジスアゾ化合物の合計の含有割合が４〜３５重量％の範囲にあり、かつ、これらの重量比（Ｉ）／（II）が３０／７０〜７５／２５の範囲である請求項１〜４のいずれか１つに記載のジスアゾ顔料組成物。
　　【請求項７】　ジスアゾ顔料が、一般式（VII）
（式中、Ｘ及びＹは、各々独立的に、水素原子、ハロゲン原子、炭素原子数１〜４のアルキル基、炭素原子数１〜４のアルコキシル基又は炭素原子数１〜４のアルコキシル基を有するアルコキシカルボニル基を表わすが、Ｘ及びＹは同時に水素原子を表わすことはない。Ｚ1は、低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基を表わす。）
で表わされるジスアゾ顔料である請求項１〜６のいずれか１つに記載のジスアゾ顔料組成物。
　　【請求項８】　一般式（Ｉ）と一般式（II）と一般式（VII）中のＸ、Ｙ及びＺ1が、それぞれ同一である請求項７記載のジスアゾ顔料組成物。
　　【請求項９】　ジスアゾ顔料が、ＣＩピグメント番号のＹ−１２、Ｙ−１３、Ｙ−１４、Ｙ−１７、Ｙ−５５、Ｙ−５７及びＹ−８１から成る群から選ばれる１種以上の顔料である請求項１〜６のいずれか１つに記載のジスアゾ顔料組成物。
　　【請求項１０】　請求項１〜９のいずれか１つに記載のジスアゾ顔料組成物を含有してなることを特徴とする印刷インキ。」
　
３．異議申立て理由の概要
　異議申立人は、証拠として甲第１号証を提出し、本件発明１〜１０は、甲第１号証に記載された発明に基いて当業者が容易に発明をすることができたものであるから特許法第２９条第２項の規定により特許を受けることができないものであり（理由１）、また、本件特許明細書の記載には不備があり、特許法第３６条第４項、又は同条第６項第１号若しくは第２号に規定する要件を満たしていない（理由２）ので、本件発明１〜１０の特許は取り消されるべきものである旨主張している。
　
４．甲号証の記載内容
　甲第１号証（特許第２５０３４６８号公報）には、以下の事項が記載されている。
(１)「【請求項１】ジスアゾ顔料と一般式（Ｉ）で示されるジスアゾ化合物とからなるジスアゾ顔料組成物。
　
［式中、Ｘ及びＹは、水素原子、ハロゲン原子、低級アルキル基、低級アルコキシ基又は低級アルコキシカルボニル基を示すが、すべて同時に水素原子をとらない。
A2は、（１）一般式（Ａ）
（式中、Ｗはスルホン酸基及び／又はカルボン酸基を１〜４個含むフェニル基又はスルホン酸基を１〜４個含むナフチル基で、更に置換基として低級アルキル基、ハロゲン原子、低級アルコキシ基、水酸基、アセトアミノ基のうち１〜４個を含んでいても良く、これらは同種のものでも異種のものでもよい。）
で示される基、又は（２）一般式（Ｂ）
（式中、Ｒは炭素原子が１〜４個の脂肪族鎖、Ｖはスルホン酸基又はカルボン酸基を示す。）
で示される基を示す。
A1は、一般式
（式中、Ｚは、（１）無置換ナフチル基、或いは（２）低級アルキル基、ハロゲン原子、低級アルコキシ基、カルボンアミド基、スルホンアミド基又はアセトアミノ基から成る群から選ばれる１〜４個の置換基で置換されたフェニル基を示す。
但し、Ｘ及びＹが、水素原子、ハロゲン原子、低級アルキル基又は低級アルコキシ基を示すが、すべて同時に水素原子をとらない場合であって、かつ、A2が一般式（Ａ）で示される基であって、Ｗが（ａ）塩素原子、メチル基及びメトキシ基から成る群から選ばれる１〜２個の置換基を有していても良いスルホン酸基又はカルボキシル基を１個のみ有するフェニル基、又は（ｂ）塩素原子、メチル基及びメトキシ基から成る群から選ばれる１〜２個の置換基を有していても良いスルホン酸基を１個のみ有するナフチル基である場合、Ｚは無置換フェニル基、メチル基、メトキシ基及び塩素原子から成る群から選ばれる置換基を１〜３個有するフェニル基をとらない。）
で示される基を示す。
また、スルホン酸基及び／又はカルボン酸基はそれぞれアルカリ土類金属塩又はアルミニウム塩の形であってもよい。」（特許請求の範囲）
(２)「（産業上の利用分野）
　本発明は印刷インキ、塗料等に用いた場合、改良された流動性、着色力、透明性を有するジスアゾ顔料組成物に関する。
（従来の技術）
  従来、ジスアゾ顔料を印刷インキ、塗料等に用いた場合、当該製品の流動性、透明性を改良する方法として、ジスアゾ顔料にそれらのスルホン酸塩を混合したり（特公昭45−11026号公報）、カップリング成分としてカルボン酸基及び／又はスルホン酸基を有する極性カップリング成分と非極性カップリング成分との混合物を使用するジスアゾ顔料の合成法（特公昭55−49087号公報）が示されている。
（発明が解決しようとする問題点）
  しかしながら、これらの方法では、流動性、着色力、透明性の改良効果が必ずしも十分ではなく、例えば、インキの初期粘度を低下させることができても経時増粘を生じ実用上問題となることがあるなど、必ずしも満足する効果を得ることができなかった。
（問題点を解決するための手段）
  本発明者等は鋭意研究の結果、特定の構造を有するジスアゾ化合物をジスアゾ顔料に混合することにより、これらの適性を満足させ得ることを見い出し、本発明を完成するに至った。」（第２頁第４欄第５〜２８行）
(３)「（発明の効果）
  本発明に係るジスアゾ化合物を混合してなるジスアゾ顔料組成物は、印刷インキ、塗料等に用いた場合、改良された流動性、着色力、透明性を有する。」（第４頁第８欄第２０〜２２行）
(４)「試験例１
  実施例１〜４及び比較例１〜３により得たC.I.ピグメントイエロー14を主成分とする顔料組成物（いずれもスルホン酸基を含むカップリング成分が全カップリング成分に対して1.5モル％含まれている）、及びC.I.ピグメントイエロー14顔料について、ウレタングラビアインキを作成し、流動性、着色力、透明性を調べた。
・・・（中略）・・・
  結果は表−３に示したとおりであり、本発明による顔料組成物は、流動性、インキ保存性、着色力、透明性に優れていた。特に注目すべきことは、一般式（II）に相当するジスアゾ染料を混合した比較例１の顔料組成物は、従来公知のC.I.ピグメントイエロー14顔料よりも流動性が劣っていることであり、このことは、混合する水溶性基を含むカップリング成分を持つジスアゾ化合物の構造が、適性改良上、極めて重要なことを示している。
　
」（第９頁）
(５)「試験例２
  実施例５で得たC.I.ピグメントイエロー83系顔料組成物、C.I.ピグメントイエロー83、実施例６〜８で得たC.I.ピグメントオレンジ16系顔料組成物およびC.I.ピグメントオレンジ16についても試験例１と同様にウレタングラビアインキを作成し、流動性、着色力、透明性を調べた。結果は表−５に示したとおりであり、本発明に係る顔料組成物は、流動性、経時安定性、着色力、透明性に優れていた。尚、透明性の評価は、C.I.ピグメントイエロー83及びC.I.ピグメントオレンジ16を用いたインキの展色フィルムを標準サンプルとして用いた。
」（第９頁〜第１０頁）
(６)「試験例３
  実施例９〜10及び比較例４により生成したC.I.ピグメントイエロー12を主成分とする顔料組成物（いずれもカルボン酸基を含むカップリング成分が全カップリング成分に対して約５モル％含まれている）、及びC.I.ピグメントイエロー12顔料について、平版インキを作成し、流動性、着色力、透明性を調べた。
・・・（中略）・・・
  結果は表−６に示したとおりであり、本発明に係る顔料組成物は、流動性、着色力、透明性に優れていた。
　
」（第１０頁）
　
５．当審の判断
(１)理由１について
(ア)本件発明１について
(ａ)本件発明１と甲第１号証に記載されたものとを対比すると、まず、甲第１号証には本件発明１において一般式(II)で表わされるジスアゾ化合物が記載ないし示唆されていない。
　すなわち、甲第１号証の特許請求の範囲には、一般式(Ｉ)で表わされるジスアゾ化合物におけるＡ1として一般式
が示され、「式中、Ｚは、・・・カルボンアミド基、スルホンアミド基又はアセトアミノ基から成る群から選ばれる１〜４個の置換基で置換されたフェニル基を示す。」と記載されているが、これについては本件発明１の一般式(II)で表わされるジスアゾ化合物のＺ3に対応する。
　しかしながら、甲第１号証の特許請求の範囲に記載された一般式(Ｉ)で表わされるジスアゾ化合物におけるＡ２は、
「（１）一般式（Ａ）
（式中、Ｗはスルホン酸基及び／又はカルボン酸基を１〜４個含むフェニル基又はスルホン酸基を１〜４個含むナフチル基で、更に置換基として低級アルキル基、ハロゲン原子、低級アルコキシ基、水酸基、アセトアミノ基のうち１〜４個を含んでいても良く、これらは同種のものでも異種のものでもよい。）
で示される基、又は（２）一般式（Ｂ）
（式中、Ｒは炭素原子が１〜４個の脂肪族鎖、Ｖはスルホン酸基又はカルボン酸基を示す。）
で示される基を示す。」
とされており、これは本件発明１の一般式(II)で表わされるジスアゾ化合物のＺ1 、「低級アルキル基、低級アルコキシル基、ハロゲン原子、水酸基及び低級アルコキシカルボニル基から成る群から選ばれる同一又は異なる１〜４個の置換基を有していても良いフェニル基又はナフチル基を表わす。」と異なるものである。
　したがって、甲第１号証の特許請求の範囲に記載された一般式(Ｉ)で表わされるジスアゾ化合物は、本件発明１の一般式(II)で表わされるジスアゾ化合物とは異なる化合物である。
　また、甲第１号証のその他の記載をみても、本件発明１の一般式(II)で表わされるジスアゾ化合物は記載ないし示唆されていない。
　
(ｂ)また、本件発明１と甲第１号証とは技術思想及び効果が相違している。
　すなわち、本件発明１は、「近年の印刷や塗装の高速化に伴って、インキや塗料の流動性は著しく改善されたが、その流動性の改善が、一方では、インキや塗料の粘性の低下を引き起こした。粘性の低下に伴い、例えば、油性インキの粘性が低いと、網点の太りが生じ、印刷物の鮮明性が損なわれたり、印刷時にミスチングというインキの飛散現象が発生する、という実用上の問題が発生した。」（段落番号【０００５】）という問題点に対し、ジスアゾ顔料と特定のジスアゾ化合物（二種）を含有するジスアゾ顔料組成物により、高流動性と高粘性を併せ持つジスアゾ顔料組成物が得られるという技術思想（例えば、段落番号【０００６】〜【０００８】）からなるものである。
　そして、本件発明１の効果は、「印刷の高速化に対応しうる高流動性と、網点の太りや、印刷物の鮮明性の喪失や、印刷時のミスチングというインキの飛散現象が発生しない高粘性とを有する平版インキを提供することができる。」（段落番号【０１６４】）というものである。
　これに対し、甲第１号証は、従来、ジスアゾ顔料を印刷インキ、塗料等に用いた場合には「流動性、着色力、透明性の改良効果が必ずしも十分ではなく、例えば、インキの初期粘度を低下させることができても経時増粘を生じ実用上問題となることがあるなど、必ずしも満足する効果を得ることができなかった。」（第２頁第４欄第１９〜２３行）という問題点に対し、ジスアゾ顔料と特定のジスアゾ化合物（一種）を含有するジスアゾ顔料組成物により、例えば、インキの初期粘度を低下させることができても経時増粘を生じ実用上問題となることがあるなどの問題点を解決したジスアゾ顔料組成物を得ようとする技術思想（第２頁第４欄第２５〜２８行）からなるものである。
　そして、甲第１号証の効果として、表−３及び表−５には、甲第１号証の発明である、ジスアゾ顔料と特定のジスアゾ化合物（一種）を含有するジスアゾ顔料組成物は、ジスアゾ顔料（単独）に対し、インキ作成直後、及び５０℃１週間後の粘度が何れも低くなる効果を奏することが示されている。
　したがって、本件発明１と甲第１号証とは技術思想及び効果においても相違するものである。
　
(ｃ)そして、本件発明１のジスアゾ顔料組成物は、ジスアゾ顔料、一般式(Ｉ)で表わされるジスアゾ化合物、及び一般式(II)で表わされるジスアゾ化合物を必須成分として含有することにより、明細書記載の作用効果を奏するものである。
　したがって、本件発明１は、甲第１号証に記載された発明に基づいて当業者が容易に発明をすることができたとものとはいえない。
　
(イ)本件発明２〜１０について
　本件発明２〜１０は、本件発明１を引用してそれをさらに技術的に限定するものであるから、上記（ア）に述べた理由と同様の理由により、本件発明２〜１０は、甲第１号証に記載された発明に基づいて当業者が容易に発明をすることができたとものとはいえない。
　
(２)理由２について
　異議申立人は、(ｉ)「本件特許発明の請求項１における顔料組成物は、ジスアゾ顔料に添加する一般式（Ｉ）及び（II）で表わされるジスアゾ化合物以外のジスアゾ化合物の添加を含んでいる。しかし、本件特許発明の段落〔００５１〕〜〔００５４〕の上記顔料組成物の製造方法に関する記載からは上記以外のジスアゾ化合物は含まれていないことは明らかであるから、請求項１に係る本件特許発明は不明確である。」（異議申立書第１１頁第１７〜２２行）、及び(ii)「本件特許発明の段落〔００５６〕〜〔００５７〕の記載から、上記顔料組成物における各成分使用割合に寄らず、効果か奏されるとはいえない。この点でも請求項１に係る本件特許発明は不明確である。」（同第２２〜２４行）と主張するので、これらの主張について検討する。
　まず、上記(ｉ)については、本件特許明細書の段落番号【００５１】〜【００５４】に記載されているのは単なる例示であって、そこに具体的に開示されたものに本件発明１を限定すべき技術的根拠は見いだせないし、また、本件特許明細書の段落番号【００５１】〜【００５４】に開示されたものに本件発明１を限定すべき技術的根拠を異議申立人が提示しているわけでもないので、本件発明１が不明確であるとはいえない。
　次に、上記(ii)については、本件発明１は、ジスアゾ顔料と特定のジスアゾ化合物（二種）を含有するジスアゾ顔料組成物であることを特徴とする発明であって、各成分の使用割合に特徴がある発明ではないと解されるし、また、ジスアゾ顔料と特定のジスアゾ化合物（二種）の使用割合を本件特許明細書の段落番号【００５６】〜【００５７】に開示されたものに限定すべき技術的根拠を異議申立人が提示しているわけでもないので、本件発明１が不明確であるとはいえない。
　したがって、本件特許明細書の記載に不備があるとはいえない。
　
６．むすび
　以上のとおりであるから、特許異議申立ての理由及び証拠によっては、本件発明１〜１０についての特許を取り消すことはできない。
　また、他に本件発明１〜１０についての特許を取り消すべき理由を発見しない。
　よって、結論のとおり決定する。
【異議決定日】
平成１６年４月２１日（２００４．４．２１）